(57)【特許請求の範囲】
【請求項１】
洗濯物を収容して回転駆動される回転ドラムと、前記回転ドラムを内包した水槽と、前記水槽を収納し前記回転ドラムに洗濯物を投入する為の開口部を有する洗濯機筐体と、前記洗濯機筐体に回動自在に軸支され前記開口部を開閉する蓋体とを備え、前記蓋体は、前記洗濯機筐体の外側から前記回転ドラムの内方に貫通した第１開口部を有する蓋本体と、前記洗濯機筐体の外側から前記回転ドラムの内方に貫通した第２開口部を有し前記蓋本体を覆う化粧板と、前記第１開口部および第２開口部を覆う蓋カバーと、前記洗濯機筐体の外側から前記回転ドラムの内方に貫通した第３開口部を有し前記蓋本体の裏面を覆う蓋裏板と、前記蓋本体の第１開口部の回転ドラム側に設けられガラス等で形成された透明窓とを有し、前記透明窓は、外周縁が前記蓋本体の第１開口部縁と蓋裏板の第３開口部縁とで挟持されるとともに、前記蓋カバーは、外周縁が前記蓋本体の第１開口部縁と化粧板の第２開口部縁とで挟持される構成とし、前記化粧板の外周縁に内方向へ凸の爪を設け、前記爪は、前記蓋本体の外周裏面に係止される構成としたドラム式洗濯機。
【請求項２】
爪が蓋本体の外周裏面に係止した状態で、化粧板の外周縁の先端部が蓋裏板の外周縁で放射方向外側から覆われる構成とした請求項１記載のドラム式洗濯機。
【発明の詳細な説明】
【技術分野】
【０００１】
本発明は、ドラム式洗濯機に関するもので、特にドラム式洗濯機の筐体内の洗濯物の飛び出しを防ぐ蓋の構成に関するものである。
【背景技術】
【０００２】
従来より、ドラム式洗濯機の筐体には、洗濯機筐体内の洗濯物や洗剤が、機体外に飛び出すことを防止するための蓋が開閉自在に保持されていた（例えば、特許文献１参照）。
【０００３】
図６は、従来の一般的なドラム式洗濯機の蓋の構成を示す要部断面図である。図６において、洗濯機筐体１０１内には、洗濯物を収容する回転ドラム１０２と、回転ドラム１０２を回転自在に内包する水槽１０３が設けられている。洗濯機筐体１０１の前面には洗濯物を出し入れするための開口部１０４が形成されており、その洗濯機筐体１０１の前面には、蓋体１０５が、回転軸部１０６と連結部材１０７により開口部１０４を開閉自在に保持されている。
【０００４】
蓋体１０５は、ほぼ中心部に開口を有しポリプロピレンで成型された蓋本体１０８と、同じくほぼ中心部に開口を有しポリプロピレンで成型された蓋裏板１０９と、蓋本体１０８と蓋裏板１０９の開口に設けられ回転ドラム１０２内の洗濯物が外に飛び出さないようガラスで成型された透明窓１１０とを有し、透明窓１１０は、蓋本体１０８と蓋裏板１０９とで挟持されている。一方、蓋本体１０８の開口のほぼ全面を透明ＡＢＳで成型した蓋カバー１１１で覆い、蓋カバー１１１および透明窓１１０を介して回転ドラム１０２内の中の洗濯物の動きが見えるようにしている。
【０００５】
また、蓋本体１０８は、ガラスで成型された透明窓１１０を蓋裏板１０９で挟持しているため、上記したようにポリプロピレンで成型されており、ポリプロピレンの場合、成型時の発生した表面のヒケおよび光沢不良などにより、外観が良くないので、表面を塗装して外観を良くしている。
【０００６】
蓋本体１０８側には爪１０８ａが、蓋カバー１１１側には爪１１１ａがそれぞれ設けられ、蓋カバー１１１を蓋本体１０８に固定していた。連結部材１０７は蓋本体１０８の固定ボス１０８ｂに固定ねじ１１２で固定されている。
【０００７】
以上のように構成されたドラム式洗濯機について、その動作を以下に説明する。回転ドラム１０２内の洗濯物に、水と洗剤が加えられモータ（図示せず）により、回転ドラム１０２を回転する。このとき、洗濯物の回転により飛び散った洗剤は透明窓１１０にも付着する。洗濯物の出し入れの際に、洗剤が透明窓１１０を伝わって蓋本体１０８および蓋裏板１０９にも付着する。そこで、蓋本体１０８および蓋裏板１０９は、洗剤その他の薬品によって損傷を受けないように、上記したように、ポリプロピレンなど、耐薬品性が強い樹脂材料から形成されている。
【０００８】
また、連結部材１０７を締め付ける固定ボス１０８ｂは、蓋本体１０８と質量のある透明窓１１０の荷重が集中して加わるため、破損して壊れないようにするために、その直径を大きくしていた。さらに、洗濯、脱水中に蓋カバー１１１が振動して音を出さないようにするために、爪１０８ａと、爪１１０ａは常に応力がかかる嵌め合いにしていた。また、洗濯、脱水中の振動により、質量の大きい透明窓１１０が振動して音を出さないよう、蓋本体１０８と蓋裏板１１１の隙間は、透明窓１０６の取り付け部の厚さよりも小さくしている。したがって、蓋裏板１１１には常に応力がかかり、また洗剤も付着しやすかったので弾性があり、薬品に強いポリプロピレンで成型していた。
【特許文献１】特開２００４−８６８３号公報
【発明の開示】
【発明が解決しようとする課題】
【０００９】
しかしながら、上記従来のドラム式洗濯機では、蓋本体１０８を薬品に強く、強度が大きいポリプロピレンで成形していたので、固定ボス１０８ｂに対応する表面側に成型時に発生した表面のヒケやポリプロピレン特有の光沢不良、表面の傷などにより、美観を損ね
るものであった。そこで、美観を高めるために表面に塗装する方法などがあるが、その際、表面に化学変化を生じさせることが難しく、十分な塗装密着強度を持たせることが極めて困難であった。塗装の密着性を良くしようとすれば、薬品等により蓋本体１０８の表面を荒らす必要があったが、そのためには耐薬品性を落とした材料を使う必要があった。ところが耐薬品性を落としてしまうと、今度は洗剤などによる損傷を受けやすくなるため、適切な材料を選ぶのが困難であった。
【００１０】
また、蓋カバー１１１は、爪１０８ａと１１１ａとの嵌め合いにより固定していたが、蓋本体１０８に応力がかかる構造であったため、耐薬品性が落ちる材料を使うと、クリープなどによる破損がさらに発生しやすくなるという課題があった。同様に荷重が加わる固定ボス１０８ｂが破損しないようにするために、蓋本体１０８を成形する材料には機械的強度も必要であり、耐薬品性と、塗装密着性と、クリープ強度と、機械的強度のすべてを有する材料選定はさらに難しかった。
【００１１】
また、蓋カバー１１１は中の洗濯物の動きを見るために透明にしていたが、爪１１１ａの形状が蓋カバー１１１の正面から見えてしまうため、美観をあげることが困難であった。蓋カバー１１１のほぼ全体が外観部になるので、例えば近年の高リサイクル化社会の要求に対応する材料表示などを表示することが困難であった。
【００１２】
また、透明窓１１０を、蓋裏板１０９と蓋本体１０８とで挟持していたため、透明窓１１０の固定を確実にしようとすれば、蓋本体１０８と蓋裏板１０９の隙間は、透明窓１０６の外周部の取り付け部厚さより小さくして締め代を大きくしなければなければならなかった。ところが、締め代を大きくするほど、蓋本体１０８と蓋裏板１０９の外周部に隙間ができやすく、外観上の課題がある上に、洗剤や水などの異物が、蓋体１０５内部に侵入しやすく、内部部品の劣化や金属部品の錆びが発生しやすかった。また、締め代を大きくするほど蓋本体１０８と蓋裏板１０９には、大きな応力がかかり、材料選定が難しかった。
【００１３】
本発明は、前記従来の課題を解決するもので、簡単な構成で、外観性を向上させ、薬品による損傷を受けにくく、かつ十分な強度を有する蓋構造を有するドラム式洗濯機を提供することを目的とする。
【課題を解決するための手段】
【００１４】
前記従来の課題を解決するために、本発明のドラム式洗濯機は、洗濯物を収容して回転駆動される回転ドラムと、前記回転ドラムを内包した水槽と、前記水槽を収納し前記回転ドラムに洗濯物を投入する為の開口部を有する洗濯機筐体と、前記洗濯機筐体に回動自在に軸支され前記開口部を開閉する蓋体とを備え、前記蓋体は、前記洗濯機筐体の外側から前記回転ドラムの内方に貫通した第１開口部を有する蓋本体と、前記洗濯機筐体の外側から前記回転ドラムの内方に貫通した第２開口部を有し前記蓋本体を覆う化粧板と、前記第１開口部および第２開口部を覆う蓋カバーと、前記洗濯機筐体の外側から前記回転ドラムの内方に貫通した第３開口部を有し前記蓋本体の裏面を覆う蓋裏板と、前記蓋本体の第１開口部の回転ドラム側に設けられガラス等で形成された透明窓とを有し、前記透明窓は、外周縁が前記蓋本体の第１開口部縁と蓋裏板の第３開口部縁とで挟持されるとともに、前記蓋カバーは、外周縁が前記蓋本体の第１開口部縁と化粧板の第２開口部縁とで挟持される構成とし、前記化粧板の外周縁に内方向へ凸の爪を設け、前記爪は、前記蓋本体の外周裏面に係止される構成としたもので、蓋体の耐薬品、クリープ強度、機械的強度を確保するとともに、蓋体の組み立てが容易となり、簡単な構成で、外観性を向上させることができる。
【発明の効果】
【００１５】
本発明のドラム式洗濯機は、簡単な構成で、外観性を向上させ、薬品による損傷を受けにくく、蓋体の組み立てが容易となり、かつ十分な強度を有する蓋体を得ることができる。
【発明を実施するための最良の形態】
【００１６】
第１の発明は、洗濯物を収容して回転駆動される回転ドラムと、前記回転ドラムを内包した水槽と、前記水槽を収納し前記回転ドラムに洗濯物を投入する為の開口部を有する洗濯機筐体と、前記洗濯機筐体に回動自在に軸支され前記開口部を開閉する蓋体とを備え、前記蓋体は、前記洗濯機筐体の外側から前記回転ドラムの内方に貫通した第１開口部を有する蓋本体と、前記洗濯機筐体の外側から前記回転ドラムの内方に貫通した第２開口部を有し前記蓋本体を覆う化粧板と、前記第１開口部および第２開口部を覆う蓋カバーと、前記洗濯機筐体の外側から前記回転ドラムの内方に貫通した第３開口部を有し前記蓋本体の裏面を覆う蓋裏板と、前記蓋本体の第１開口部の回転ドラム側に設けられガラス等で形成された透明窓とを有し、前記透明窓は、外周縁が前記蓋本体の第１開口部縁と蓋裏板の第３開口部縁とで挟持されるとともに、前記蓋カバーは、外周縁が前記蓋本体の第１開口部縁と化粧板の第２開口部縁とで挟持される構成とし、前記化粧板の外周縁に内方向へ凸の爪を設け、前記爪は、前記蓋本体の外周裏面に係止される構成としたドラム式洗濯機とすることにより、化粧板は、重量部品を保持する必要がないので、クリープ強度、機械的強度は必要が無く、ＡＢＳ等、塗装密着性や成型後の表面の仕上がりのよい材料を使用することが可能になり、簡単な構成で、外観性を向上させることができ、また、蓋本体に、耐薬品、クリープ強度、機械的強度を有するポリプロピレン等を使用すれば、薬品による損傷を受けにくく、かつ十分な強度を有する蓋体の構造が得られ、また、蓋カバーは、蓋本体と化粧板によって挟み込まれているので、高いクリープ強度を必要としないので、材料選定が容易となり、さらに、蓋カバー外周部を化粧板で隠すことができるので、蓋カバー周辺部に材料表示などの刻印を表示することができる。
【００１７】
また、ドラム式洗濯機を生産する際に、蓋本体と蓋カバーと化粧板を先にユニット化しておき、その後、透明窓を置き、最後に蓋裏板を取りつけることができるので、蓋体の組み立てが容易となり、ユニット化組み立てが可能になり、生産性を向上させることができる。
【００１８】
第２の発明は、特に、第１の発明のドラム式洗濯機の爪が蓋本体の外周裏面に係止した状態で、化粧板の外周縁の先端部が蓋裏板の外周縁で放射方向外側から覆われる構成としたことにより、爪の係止を確実に保持することができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態におけるドラム式洗濯機の外観斜視図、図２は、同ドラム式洗濯機の蓋体近傍の要部断面図、図３は、同ドラム式洗濯機の蓋体の要部断面図である。
【００２１】
図１において、洗濯機筐体１の正面側上部には上向き傾斜面１ａが形成され、この傾斜面１ａに洗濯物を出し入れする円形の開口部２が形成されている。洗濯機筐体１の上向き傾斜面１ａには、開口部２を開閉自在に覆う円形の蓋体３が設けられている。
【００２２】
図２に示すように、洗濯機筐体１の内部には、洗濯水を溜める水槽４が揺動可能に支持されており、水槽４の内部には、洗濯物を収容して、回転することにより洗濯する回転ドラム５が回転自在に設けられている。回転ドラム５は、モータ（図示せず）により回転駆
動される。
【００２３】
蓋体３は、洗濯機筐体１に設けられた回転軸６に回転自在に軸支された連結部材７の平坦部７ａに連結され、開口部２を開閉するように回転自在に保持されており、ポリプロピレンで成型された蓋本体８、さらに耐薬品性が高いポリプロピレンで成型された蓋裏板９、ガラスで成型された透明窓１０、透明ＡＢＳで成型された蓋カバー１１および耐薬ＡＢＳで成型された化粧板１２等より構成されている。
【００２４】
蓋本体８は、略環状を成しており、その略中央部に洗濯機筐体１の外方側から回転ドラム５の内方側に向けて立設した蓋本体内壁８ａを設けることで、貫通した第１開口部８ｂを形成している。蓋裏板９は、略環状を成しており、蓋本体８の内側に設けられ、その略中央部に第１開口部８ｂと略同形状の第３開口部９ａを形成し、その外周部には回転ドラム５の内方側から洗濯機筐体１の外方側に向けて立設した蓋裏板外壁９ｂを形成している。
【００２５】
第１開口部８ｂと第３開口部９ａには、ガラス等で成型された透明窓１０が設けられている。透明窓１０は、回転ドラム５側に凹になるように略凹状を成しており、その上端部に外周方向に突出したフランジ部１０ａを略全周に設けている。フランジ部１０ａは、蓋本体内壁８ａの先端部と第３開口部９ａの内周の内面とで挟持されている。蓋本体８の内面側には、先端部に穴部８ｃを有するボス８ｄが立設されており、蓋裏板９には、ボス８ｄの対応位置に貫通孔９ｃが設けられており、蓋本体８と蓋裏板９とは、透明窓１０のフランジ部１０ａが挟持された状態で、ねじ１３が貫通孔９ｃを介してボス８ｄの穴部８ｃに締め付けられることで固定されている。また、蓋本体８の外面側には、ボス８ｄの対応位置に肉盗み用の肉盗み穴８ｉが形成されている。
【００２６】
蓋本体８の蓋本体内壁８ａの根元側の洗濯機筐体１の外方側面には、一段下がった内周段部８ｅが形成されており、蓋カバー１１の外周縁に設けられ蓋カバー１１の表面より一段下がったところに形成された蓋カバーフランジ部１１ａが収容されている。蓋本体８の洗濯機筐体１外方側には、蓋本体８の第１開口部８ｂと略同形状の開口である第２開口部１２ａを有する化粧板１２が設けられ、蓋カバーフランジ部１１ａが内周段部８ｅに収容された状態で、化粧板１２の第２開口部１２ａの内周の内面が蓋カバーフランジ部１１ａを外側から覆うことで蓋カバー１１を挟持している。
【００２７】
また、図３に示すように、化粧板１２の外周には、蓋裏板９側に突出した化粧板外周壁１２ｂを形成し、蓋裏板９の蓋裏板外壁９ｂの先端部には、化粧板外周壁１２ｂに対応するように一段下がった外周段部９ｄが形成されている。化粧板外周壁１２ｂの内面側には、複数箇所に内方向へ凸の爪１２ｃを形成し、外周段部９ｄには、その外面側に爪１２ｃに対応する引掛け凹部９ｅが形成され、爪１２ｃが引掛け凹部９ｅに係止されることで、化粧板１２が蓋本体８の表面側に固定されるように構成している。例えば、爪１２ｃと引掛け凹部９ｅは、３０度ピッチで１２組設けられている。
【００２８】
連結部材７の平坦部７ａの対応位置には、蓋本体８の内面側に、先端部に穴部８ｆを有するボス８ｇが立設されており、蓋裏板９は、連結部材７の平坦部７ａに対応するように一段下げた取付部９ｆを形成し、そのボス８ｇの穴部８ｆに対応するように連結部材７の平坦部７ａおよび蓋裏板９の取付部９ｆにそれぞれ貫通孔７ｂおよび貫通孔９ｇが設けられており、蓋本体８と蓋裏板９と連結部材７の平坦部７ａとは、ねじ１４が貫通孔９ｇおよび貫通孔７ｂを介してボス８ｇの穴部８ｆに締め付けられることで、蓋体３と連結部材７とが固定されている。また、蓋本体８の外面側には、ボス８ｇの対応位置に肉盗みようの肉盗み穴８ｈが形成されている。
【００２９】
また、洗濯機筐体１の上向き傾斜面１ａには、蓋体３が収容されるように凹部１ｂを設け、その底部を構成する底面１ｃに、開口部２と、連結部材７が挿通されるスリット孔１ｄが設けられている。
【００３０】
また、近年の高リサイクル化社会の要求に対応して、蓋カバー１１の外周の蓋カバーフランジ部１１ａには材料表示を刻印している。これにより、組み立てられた蓋体３の状態では、蓋カバーフランジ部１１ａは、化粧板１２に覆われているため、外からは見えない構造となっている。
【００３１】
また、ボス８ｄは、蓋本体８のほぼ全周にほぼ一定の間隔で並んでいる。例えば、６本形成し、爪１２ｃと引掛け凹部９ｅの位置に干渉しない位置に設けている。
【００３２】
また、蓋本体内壁８ａの先端部と第３開口部９ａの内周の内面との隙間ｇ１は、透明窓１０のフランジ部１０ａの厚さｇ２より小さくして締め代を大きくしている。例えば、隙間ｇ１は５ｍｍ、取りつけ部厚さｇ２は５．５ｍｍにして、締め代を０．５ｍｍに設定している。これによって、透明窓１０のがたつきを防止している。
【００３３】
以上のように、本実施の形態によれば、化粧板１２は、重量部品を保持する必要がないので、クリープ強度、機械的強度は必要が無く、ＡＢＳ等、塗装密着性や成型後の表面の仕上がりのよい材料、または、塗装密着強度が高い材料を使用することが可能になり、簡単な構成で、外観性を向上させることができる。
【００３４】
また、透明な蓋カバー１１は、蓋本体８と化粧板１２によって挟み込まれているので、高いクリープ強度は必要なく、美観を向上させる材料選定が容易となり、さらに、透明の蓋カバーに固定爪などを構成しなくて良いので、蓋カバー正面からの美観を向上することができる。そして、透明な蓋カバー１１の外周部を化粧板１２で隠すことができるので、蓋カバー１１の周縁部に材料表示などの刻印を表示しても、外からは見えないようにすることができる。
【００３５】
また、蓋本体８の表面は、化粧板１２に隠れて外側から見えないので、成型時のヒケ等を考慮する必要がなく、耐薬品性、耐クリープ強度、機械的強度の優れた材料の選択をすることができる。
【００３６】
また、透明窓１０を固定する際の締め代を大きく取って、透明蓋１０を確実に固定するようにしても、蓋本体８および蓋裏板９が弾性で変形しても、化粧板１２と蓋裏板９とは、化粧板１２の外周に設けた爪１２ｃが蓋裏板９の引掛け凹部９ｅに係止されているので、化粧板１２と蓋裏板９の蓋裏板外壁９ｂの先端部との間に隙間ができにくくなり、このため外観上の課題が無く、洗剤や水などの異物が、蓋体３の内部に侵入しにくいので、内部部品の劣化や金属部品の錆びが発生しにくいものである。
【００３７】
また、ドラム式洗濯機は、蓋体３の上方に洗剤ケース１５を設けているため、蓋体３に洗剤がかかりやすい構成であるが、上述のように、蓋体８および蓋裏板９を耐薬品性、耐クリープ強度、機械的強度の優れたポリプロピレン等を使用して耐薬品性、耐クリープ強度、機械的強度を低下させること無く、さらに外観の優れた材料で化粧板１２を形成することにより、外観に優れたドラム式洗濯機を提供することができる。
【００３８】
（実施の形態２）
図４は、本発明の第２の実施の形態におけるドラム式洗濯機の蓋体近傍の要部断面図、図５は、同ドラム式洗濯機の蓋体の要部断面図である。なお、実施の形態１と同一構造のものは、同一符号を付し、説明を省略する。
【００３９】
図４および図５において、化粧板１２の外周近傍には、蓋裏板９側に突出した化粧板外周壁１２ｄを形成し、その化粧板外周壁１２ｄの内面側には、複数箇所に内方向へ凸の爪１２ｅを形成し、その爪１２ｅが蓋本体８の外周部８ｊの裏面に係止されることで、化粧板１２が蓋本体８の表面側に固定されるように構成している。例えば、爪１２ｅは、３０度ピッチで１２組設けられている。
【００４０】
蓋裏板９の蓋裏板外壁９ｈの先端部には、化粧板外周壁１２ｄに対応するように一段下がった外周段部９ｉが蓋裏板外壁９ｈの内側に形成されている。これにより、外周段部９ｉの外周壁９ｊが、化粧板外周壁１２ｂを外側より覆う構成となっている。また、外周壁９ｊの先端は、化粧板外周壁１２ｄの外側の化粧板１２の外周縁１２ｆの裏面に当接するように構成している。
【００４１】
この構成により、ドラム式洗濯機を生産する際に、蓋本体８の内周段部８ｅに蓋カバー１１の蓋カバーフランジ部１１ａを収容して、化粧板１２を蓋本体８の表面側から取り付け、化粧板外周壁１２ｄの内面側の爪１２ｅを蓋本体８の外周部８ｊの裏面に係止させることで、蓋本体８と蓋カバー１１と化粧板１２を先にユニットにしておく。その後、ユニット化された蓋本体８と蓋カバー１１と化粧板１２の蓋本体内壁８ａの先端部に、透明窓１０のフランジ部１０ａを置き、蓋裏板９をねじ１３にてねじ固定している。
【００４２】
これにより、蓋体３としての蓋本体８と蓋カバー１１と化粧板１２のユニット化組み立てが可能となり、生産性の向上が実現できる。
【００４３】
また、外周段部９ｉの外周壁９ｊが、化粧板外周壁１２ｂを外側より覆う構成となっているので、蓋体３として、爪１２ｅの蓋本体８の外周部８ｊの裏面への係止が容易に外れることはなく、品質の向上を実現することができる。
【００４４】
また、外周壁９ｊの先端は、化粧板外周壁１２ｄの外側の化粧板１２の外周縁１２ｆの裏面に当接するように構成しているので、洗濯機筐体１の外方から外周壁９ｊの先端部が化粧板１２の外周縁に隠れて見えないので、蓋体３の美観を向上させることができる。
【００４５】
なお、上記実施の形態１および２では、蓋体３を構成する蓋本体８、蓋裏板９、透明窓１０、蓋カバー１１および化粧板１２は、環状または円盤状としたが、多角形状、例えば四角形状としても、同等の効果を奏することができる。
【産業上の利用可能性】
【００４６】
以上のように、本発明にかかるドラム式洗濯機は、簡単な構成で、外観の美観性を向上させ、薬品による損傷を受けにくく、かつ十分な強度を有する蓋構造が得られるもので、外観性、耐薬品性、強度に優れた蓋体を必要とする機器に広く適用できるものである。
【図面の簡単な説明】
【００４７】
【図１】本発明の実施の形態１におけるドラム式洗濯機の外観斜視図
【図２】同ドラム式洗濯機の蓋体近傍の要部断面図
【図３】同ドラム式洗濯機の蓋体の要部断面図
【図４】本発明の実施の形態２におけるドラム式洗濯機の蓋体近傍の要部断面図
【図５】同ドラム式洗濯機の蓋体の要部断面図
【図６】従来のドラム式洗濯機の要部断面図
【符号の説明】
【００４８】
１  洗濯機筐体
２  開口部
３  蓋体
４  水槽
５  回転ドラム
８  蓋本体
８ｂ  第１開口部
９  蓋裏板
９ａ  第３開口部
１０  透明窓
１１  蓋カバー
１２  化粧板
１２ａ  第２開口部
【図１】
0004544105.tif 000002
【図２】
0004544105.tif 000003
【図３】
0004544105.tif 000004
【図４】
0004544105.tif 000005
【図５】
0004544105.tif 000006
【図６】
0004544105.tif 000007